(57)【要約】  内部への通気を可能とする、テントまたはシェルタ用のベント22を提供する。ベント22は、中央に位置し、ベントフラップ24を縦方向に横切るベントポール30により支持される。ベントポール30は、使用時において、ベントフラップ24を開いた位置に支持するために十分な弾力を有する構造を形成するが、簡単に取り外すことができ、収納に際して折り畳むことができる。好ましくは、ベントポール30は、ベントフラップ24に沿って縦方向に、かつ、ベントフラップ24の外縁28に位置する開口部36に対してほぼ直角方向に伸長する。【選択図】図１
2013501170.tif 000002
【特許請求の範囲】
【請求項１】
テントフレームと、
前記フレームを支持する少なくとも１つの頂上部または側壁と、
前記テントの少なくとも頂上部をカバーし、フラップを備えた少なくとも１つのベントを有するフライシートと、
前記ベントフラップに着脱可能に連結され、前記をフラップを支持して、前記ベントを開いた位置に維持する、少なくとも１つの伸長部材と、
を備えるテント。
【請求項２】
前記伸長部材は、前記ベントフラップに沿って縦方向に、かつ、前記ベントフラップの外縁に位置する開口部に対してほぼ直角方向に伸長する、請求項１に記載のテント。
【請求項３】
布構造用のベントであって、
上部フラップと、
前記布構造の中心点から外側に、前記上部フラップの外縁まで伸長し、これにより、前記上部フラップを支持し、前記ベントを開状態に維持して通気を可能とする伸長部材と、を備える布構造用ベント。
【請求項４】
前記上部フラップは、さらに、前記伸長部材の端部を収容し、着脱可能に保持するための保持ポケットを備える、請求項３に記載のベント。
【請求項５】
請求項３に記載のベントを１つ以上備えた布構造用ベントシステムであって、前記伸長部材は、前記布構造の第１の側面上に設けた第１のベントの上部フラップの外縁と、前記布構造の第２の側面上に設けた第２のベントの上部フラップの外縁との間を伸長しており、前記第１の側面と、前記第２の側面とは、反対側の位置にある、布構造用ベントシステム。
【請求項６】
請求項３に記載のベントを備えたシェルタ。
【請求項７】
請求項５に記載のベントシステムを備えたシェルタ。
【請求項８】
請求項３に記載のベントを備えたフライシートを有するテント。
【請求項９】
請求項５に記載のベントシステムを備えたフライシートを有するテント。
【発明の詳細な説明】
【技術分野】
【０００１】
本発明は、テントおよびシェルタに関し、特にテントまたはシェルタとともに使用するベントに関する。
【背景技術】
【０００２】
キャンプは、多くの人がエンジョイする人気の高いレクリエーション活動である。アウトドアライフを満喫するためにキャンプをする人もいれば、ホテルに滞在する代わりの安価な手段としてキャンプを利用する人もいる。
【０００３】
典型的に、キャンパーたちは、キャンプをしている間、テントの中で眠る。テントは、軽量で、しばしば防水性のある布地で作られた、運搬可能なシェルタである。テントは、典型的に、フレーム上に張られ、ここに支持されるキャンパスまたは他の材料で作られた折りたたみ式シェルタである。テントは、アウトドアキャンプ用に、あるいは一時的な建築物として使用され、多種多様な形状およびサイズがある。最も人気のある形状はドーム形、すなわち自立型のタイプである。このタイプは、組み立てが簡単であり、木の枝やその他の支持物を用いて固定する必要がなく、テントが組み立てられると、テント用のポール構造全体がテントに密着するようになっている。こうした特徴により、組み立てたテントを、その形状を損なうことなく、１人または複数のキャンパーで持ち上げることが可能となる。テントのポール構造をカバーするように雨よけ（フライシート）を設けることができ、このフライシートは、テントに取り付けてもよいし、地面にペグで留めてもよい。キャンパーは、テントも地面にペグ留めするようにすることもできる。
【０００４】
多くの自立型テントの場合、曲がりやすく、テントの両側のコーナー（角部）間を伸長するポールが用いられる。これらのポールは、端部がテントのコーナー、またはテント床部の外縁沿いのどこかに取り付けられるよう、アーク状に湾曲される。テントの布地は、このアークに沿って、ループ、ホックまたはスリーブなどで取り付けられる。テントのコーナー（あるいは、代替的にテント床部の縁）にポール端部を取り付け、テントの壁部および天井部のアタッチメントをポール中央部に取り付けると、テント布にテンションがかかり、テント布に構造をもたらす。そして、すべてのポールが配置されると、テント布にテンションがかかって、自立型のテント構造が形成される。
【０００５】
多くの場合テントは閉じた構造であるため、テント内の空気は淀む。結露、淀んだ空気、臭気といったものは、多くの場合、テントに通気することで除去可能である。こうした通気は、たとえば、ドアを少し開けたまま保ったり、テントに窓を設けたりして行う。最近では、テントの頂上部をメッシュにし、テントの上を覆うようにフライシートをかけ、テントのポール構造により、メッシュ部分とフライシートとの間にスペースをとる、という設計がなされるようになっている。理論的には、空気は、頂上部のメッシュ材を通ってテントから流れ出て、フライシートとテントの間のエリアに流れ込む。このように、フライシートの下で、空気は出入りし循環することになる。
【０００６】
このようなメッシュとフライシートを用いたテント構造は、良好に機能はするものの、フライシートが常に最適な通気を提供するわけではない。しばしばフライシートは、ほぼ地面まで伸長しており、弱い風が、テントとフライシートの間に丁度よく吹き込まなければ、フライシートの下に淀んだ空気が蓄積してしまい、適切な通気は得られない。
【０００７】
キャンプ時に使用されるもう１つの構造に、シェルタがある。一般的にシェルタは、ポールでできたフレーム構造であり、雨、虫、または／および日差しを防御するカバーまたは天蓋を備える。キャンプ用のシェルタは、典型的に、布地と折り畳み可能なポールからなり、運搬や収納のためコンパクトに折り畳むことできるようになっている。シェルタは、任意的にスクリーンのような壁を備えるようにすることもできる。シェルタは、たとえば、ピクニック場で設営され、雨を遮り、虫を防ぐ遮蔽された貯蔵場所として、テントと隣接して使用される。
【０００８】
シェルタにも通気は必要である。一般的にシェルタは、頂上部と、該頂上部から伸長し、ポールまたはその他の支持手段に取り付けられる２つ以上の側面を有する。結露や淀んだ空気は、この頂上部の下に蓄積しやすい。さらに、気候が温暖になると、通気のないシェルタ内の環境は、かなり暑くなる。
【先行技術文献】
【特許文献】
【０００９】
【特許文献１】韓国登録実用新案第２０−３００９２０号公報（Ｙ１）
【特許文献２】特開平０７−１３９２２８号公報
【特許文献３】韓国登録実用新案第２０−２４６４９０号公報（Ｙ１）
【特許文献４】韓國登録実用新案第２０−３１９１１２号公報（Ｙ１）
【発明の概要】
【００１０】
本発明の基本的な理解を図るために、以下に、本発明のいくつかの実施形態の概要を示す。この概要は、本発明の外延を示すものではない。また、本発明の主要または不可欠な要素を特定するものでもなく、本発明の範囲を画定するものでもない。後で提示するさらに詳細な記述の前提として、本発明の幾つかの実施形態を簡潔に提示することを唯一の目的とする。
【００１１】
一実施例では、テント用のベントが提供される。ベントポールがフライシートに連結され、使用時において、ベントフラップを開いた位置に支持するために十分な弾力を有する構造を形成するが、ベントポールは、簡単に取り外すことができ、収納に際して折り畳むことができる。
【００１２】
一実施例では、ベントポールは、グラスファイバーのリッジポールで構成され、フライシートの中心線沿いにベントフラップのエッジからエッジまでの距離を伸長する。
【００１３】
一実施例では、ベントポールは、グラスファイバーのリッジポールで構成され、ベントフラップのエッジとフライシートの中心点までの距離を伸長する。
【００１４】
一実施例では、シェルタ用のベントが提供される。ベントポールがシェルタ本体に連結され、使用時において、ベントフラップを開いた位置に支持するために十分な弾力を有する構造を形成するが、ベントポールは、簡単に取り外すことができ、収納に際して折り畳むことができる。
【図面の簡単な説明】
【００１５】
【図１】図１は、本発明の一実施形態による２つのベントを有するフライシートを備えたテントの正面斜視図である。
【図２】図２は、図１に示すテントの背面斜視図である。
【図３】図３は、図１に示すテントの概略背面図である。
【図４】図４は、図１に示すテントの概略側面図である。
【図５】図５は、図１に示すテントの概略平面図である。
【図６】図６は、図１に示すテントの概略裏面図である。
【図７】図７は、本発明の他の実施形態による単一のベント備えたフライシート示すテントの概略裏面図である。
【図８】図８は、図１に示すテントの頂上部を示す詳細図である。
【図９】図９は、図１に示すテントのポケットがベントポールを保持した状態を示す詳細図である。
【図１０】図１０は、本発明の一実施形態によるシェルタの正面斜視図である。
【発明を実施するための形態】
【００１６】
以下、本発明の様々な実施形態について記述する。各実施形態についての理解を徹底するため、特定の構造および詳細について説明するが、特定細部の記載がなくとも本発明の実施が可能であることは、当業者には自明である。さらに、実施形態の特徴を曖昧にしないため、周知の特徴についての記述は、省略または簡易化する。
【００１７】
説明に際して、図面を参照するが、同様の要素に対しては、同じ符号を付している。図１は、本発明の一実施形態を組み込んだテント１０を示す。図示のテント１０は、単純化したモデルであり、テント１０におけるいくつかのポールと具体的詳細は示していない。これは、テントの一般的構造および製品は周知であるため、具体的構造についての記述を省略または簡易化して、実施形態の特徴をより明確になるようにしている。
【００１８】
図示のテント１０は、自立型のモデルである。テント１０は、ドーム型とも呼ばれるタイプのテントであるが、本発明の特徴は、自立型やドーム型であることに制限されず、様々なタイプのテントに適用可能である。テント１０は、この技術分野では周知の態様で、壁１２と、この壁１２とテントを支えるためのポール構造１４を備える。
【００１９】
一般的に、テント１０は、組み立てた状態で、直立にテント１０を支えるポール構造１４を備える。各ポールは、テント側壁の縁に沿って伸長するスリーブ（図示せず）を通って、対角線上の両側のコーナーの間を伸長する。この分野において周知の態様によれば、ポールは典型的にストレートである。ポールは、設置状態において、スリーブ内を伸長してアーチ形に湾曲し、テント１０のコーナーに取り付けられる。ポールのテンションが、スリーブに上向きのテンションをかけ、コーナーに外向きのテンションをかける。スリーブにより、ポールのテンションはポール端部へと向けられ、コーナーに下方向の力をかける。このようなテンションの協働により、テント壁面とテント床面にテンションが加えられるが、このテンションは、テント壁面が柔軟性有さないため、反発を受ける。すなわち、テント１０の壁面は、図１〜図５に示す組み立てた状態において、外向きに引っ張られる。さらに、ポールのテンションがコーナーを外向きに圧し、テント１０の床部にわずかなテンションをかけ、シワを伸ばし、テント１０内の床部スペースを最大限に広げる。このように、テント１０を組み立てると、ポールの連結がテント１０を安定させる。ポールはテントと直接取り付けられ、テントは図に示す構造を維持しつつ引き上げられる。このように、テントは「自立的」であり、地面に固定したり、その他の手段で安定させたりする必要がない。しかしながら、本発明の実施態様は、別の構造を有するテントにも適用可能である。
【００２０】
テント１０は、その上部をカバーするフライシート２０を備える。このフライシート２０は、ポール構造１４の上部を横切って支持されているが、ペグまたはステーク（図示はしないが周知である）を用いて地面に取り付けることと可能である。また、フライシート２０は、ポール、ガイロープ、クリップまたはその他の連結具（図示はしないが周知である）を用いて、テント上に固定することもできる。図１〜図４に示すように、テント１０はドア１６を有し、好ましくは窓（図示せず）を備える。ドアと窓は、周知ではあるが、選択的に閉じることができる。さらにテント１０は、図１に示すように、テント１０の前側を伸長する日よけ１８を備えることもできるが、日よけをつけるかどうかの選択は、あくまでも任意である。同様に、テント１０には、いずれかの（またはすべての）側面から伸長する前室を設けることができ、また、１つ以上の側面から伸長する追加の日よけを設けることもできる。サイズや形状、ドア、窓、その他の開口部、日よけ、前室などの位置と数、およびテントに共通するその他の特徴など、テントの設計に関する仕様は、本発明の本質ではなく、周知の様々な構造を使用することが可能である。
【００２１】
図１〜図５に示す実施形態においては、テント１０のフライシート２０の上部に、ベント２２が設けられている。図８に示すように、ベント２２は、フライシート２０の本体とは別個に上部フラップ２４を備える。上部フラップ２４は、外縁２８を有する。また、ベント２２は、内部フラップ２６を備えるが、こちらは典型的に、フライシート２０の本体構造として形成される。内部フラップ２６は、内縁２９を有する。必要であれば、図８に示すように、開口部３６をカバーするフライシート２０のメッシュ部分２７に、内部フラップ２６を取り付けることも可能である。メッシュ部分２７は、上部フラップ２４の下に伸長して、ベント２２から虫が入るのを防止し、フライシート２０の形状を維持する役割を果たす。代替的に、上部フラップ２４の下の部分のフライシート２０をオープン（すなわち、メッシュ素材もその他の材料も用いずに）にしてもよい。いずれの構造においても、雨がベントから入り込み、テント１０の上に落ちるのを防止するのに十分な量において、上部フラップ２４の下に、内部フラップ２６が延長することが好ましい。しかしながら、メッシュ部分２７またはオープン部分が、外縁２８を超えて拡がっている場合も、本発明の範囲に入り得る。
【００２２】
本発明の一実施形態においては、ベント２２を開状態に保ち、通気を最大限に行うため、ベントポール３０を設けている。ベントポール３０は、ベント２２の裏面を中心に沿って縦方向に走り、ベント２２の上部に頂上部Ａを形成する。ベントポール３０は、開口部３６に対して概ね直角方向に設けられるが、その他の方向に設けている場合も本発明の範囲に包含される。図１〜図６に示すように、ベントポール３０は、テント１０の１つの側面上にある第１のベント２２ａの外縁２８から、テント１０の反対側の側面上にある第２のベント２２ｂの外縁２８’へと、フライシートの中心点Ｐを横切って、中心線Ｃに沿って伸長する。また、図１〜図６に示すように、１本のベントポール３０が、テンションを利用して、２つの別々のベントを開状態に支持している。上部フラップ２４は、布地の裏側の外縁２８に、ポケット３２を備える。図９に示すように、ポケット３２は、ベントポールの端部３１を保持し固定するようになっている。ベントポール３０は、テント１０の１つの側面上にある第１のベント２２ａの外縁２８から、テント１０の反対側の側面上の第２のベント２２ｂの外縁２８’までの距離と同じ長さであるか、この距離よりも少し長いことが好ましい。これにより、ベントポール端部３１、３１’をポケット３２、３２’に挿入した際、ベントポール３０にテンションがかかり、ベント２２、２２’の布地をピンと張った状態に引っ張って、図１〜図４に示すような尾根または折り目を頂上に形成し、ベント２２、２２’を開いた位置に保持するので、ベント下の通気が可能となる。
【００２３】
ベントの上部フラップの形状は、一般的に三角形である。これは、三角形であると、きれいに頂上部を形成でき、排水や水はけに効果的であるためであるが、半円形、台形、四角形など、その他の形状であっても本発明の範囲内である。ベント２２は、テント１０またはフライシート２０と同じ布地で作ることが好ましいが、別の色の布地で作ったり、同じような性質を有する別の布地で作ったりすることもできる。上部フラップ２４は、側縁２４ａ、２４ｂに沿って、フライシート２０の頂上部に連結されるが、外縁２８は連結しないで開放しておく。図１〜図５に示すように、上部フラップ２４の最内部であるＡ点は、側縁２４ａと２４ｂが交わる地点であるが、この位置には小さな開口部を残しておき、ここを通って、ベントポール３０が上部フラップ２４の下を通過することが可能なようになっている。上部フラップ２４は、フライシート２０に縫い付けることが好ましいが、接着剤や布溶接など、布と布とを固定する産業界で周知のその他の手段の使用も、本発明の範囲に入る。
【００２４】
ポケット３２は、２つのベント２２、２２’間に、布地がピンと張った状態で維持されるよう、ベントポール３０の端部３１を保持し、固定する役割を果たす。なお、外縁２８に沿った縫い目の中にポール端部３１を保持するなど、当業者には周知なその他ポール端部保持手段により、ベントポール端部３１を保持することも、本発明の範囲に入る。また、中心線Ｃに沿った様々な地点で、ベントポール３０をフライシート２０に固定するため、追加的な保持手段を用いることも可能である。ホックやマジックテープ（登録商標）を、中心線Ｃに沿ってフライシート２０の裏面に取り付け、ポールの周囲を包んで固定することが好ましいが、あるいは別の方法でポールを包囲し、一般的な位置および方向にポールを固定することも可能である。また、布タイ、布ループ、弾性ループ、弾性ストリップなど周知の締結手段や、フライシート２０の表面または裏面に設けたスリーブ（図示せず）を、追加的保持手段として用いることも、本発明の範囲に入る。
【００２５】
ポケット３２は、布製であることが好ましく、メッシュ生地製であると一層好ましい。その他の布地製であっても、本発明の範囲内ではあるが、テント１０またはフライシート２０と同じ布地、もしくはこれらと同様の性質の布地を用いることもできる。また、ウェビングやその他の弾力的な素材を用いてポケット３２を作ることも可能である。ポケット３２は、上部フラップ２４の外縁２８の裏面に固定されるが、この際、３つのサイドに沿って取り付け、最内部である第４のサイドは、ベントポール３０の端部３１を収容できるよう開放したまま残しておく。ポケット３２は、上部フラップ２４に縫い付けて固定することが好ましいが、適切な接着剤や布溶接など、産業界では周知のその他の手段を用いることも可能である。ポール３０の端部３１を十分に保持することができるよう、ポケット３２は四角形または台形であることが好ましい。しかしながら、ポール端部３１を十分に保持できるのであれば、三角形や半円形などであっても本発明の範囲に入り、この場合、ポケットの適切なサイドを上部フラップ２４に固定する。
【００２６】
本発明の一実施形態によれば、ベントポール３０は、曲げやすい、弾力的な構造である。ここで、曲げやすいというのは、収納する際に、曲げたり、折りたたんだりすることが可能だという意味である。ポール３０は、一体形成であることが好ましいが、周知の方法で、多数の部分を入れ子状に連結して構成してもよく、また、その他周知の曲げやすい従来からあるテントポールを使用してもよい。使用に際してユーザーは、テントの仕様書の指示に従い、テントを組み立て、直立させる。ベントポール３０を、ベント２２に挿入し、その端部３１をポケット３２内に固定し、その他の追加的保持手段３４を適切に用いて留める。その後、フライシート２０をテント１０の上部に固定する。布地のテンションとベントポール３０により形成される頂上部により、通気が促進されるだけでなく、雨天時に、良好な水はけ、排水が提供される。図１〜図５に示すように、ベントポール３０は、フライシートの内側に配置され、頂上部Ａ、すなわち「折り目」を形成する。
【００２７】
本発明の一実施形態によれば、図１〜図６に示すように、フライシート２０は、１〜３つのベント２２を備えることができ、好ましくは、テント１０の対向する側面に２つのベント２２ａ、２２ｂを備える。図７に示すように、３つのベント２２ａ、２２ｂ、２２ｃが所望される場合は、第３のベントは、テント１０の後側に設けることが好ましい。ベントポール３０は、前述したように第１および第２のベント２２ａ、２２ｂを支える。そして、追加のベントポール３０’が第３のベント２２ｃを支える。中心線Ｃ’に沿って１つのベントしかなく、わたすべき距離が短くなるため、ベントポール３０’の長さは、ベントポール３０のおよそ半分くらいとなり、第３のベント２２ｃをピント張った状態に維持するのに適したサイズに形成される。中心線Ｃおよび中心線Ｃ’は、ほぼ直角方向にあるが、その他の角度および方向を用いることも可能である。中央ポケット３３が中心点Ｐの付近に設けられるが、その構成は前述したポケット３２と同様である。ベントポール３０’は、図７に示すように、中央ポケット３３とポケット３２’の間の距離を伸長する。この特殊な構成は、フライシートに設けるベントの数が奇数である場合に適用できる。
【００２８】
さらにもう１つの実施態様において、中央ポケット３３は、すべてのベントポール３０の最内端３１を収容し、保持するために用いられる。これにより、すべてのベントポール３０の長さを短くすることが可能となり、ベントポール３０の長さは、テント１０の中央ポケット３３からベント２２の外縁２８までの距離となる。この場合、中央ポケット３３は、必要な数のベントポールの収容が可能なよう適切な構成をとり、中央ポケット３３は、各ポール端部３１を受け入れるのに適切な数のポケットを備える。
【００２９】
もう１つの実施態様において、フライシート２０は４つ以上のベントを備え、テント１０の各側面に１つのベントを設けることも可能である。また、１つの側面に２つ以上のベントを設けることも、本発明の範囲に入る。
【００３０】
中心線Ｃに沿って、中心点Ｐから任意の距離までベント２２を設けることも可能である。また、適切なベントポールおよびベントフラップ構造を用いて、ベント２２を中心線Ｃからオフセットすることも、本発明の範囲に入る。
【００３１】
図１０に示す実施例において、ベント２２はシェルタ１１０上に設けられている。シェルタ１１０は、周知のように、４面１１２ａ〜１１２ｄを有することが好ましく、地面まで到達する側壁を任意に有することができる（図１０は、地面までの側壁を有さないシェルタを示す）。シェルタ１１０が４面でない場合も、本発明の範囲に入る。従来的なシェルタと同様に、シェルタ１１０は頭頂部１１３を有する。壁面（図示せず）の長さに応じて、シェルタ１１０はドアや窓などの開口部を任意に有することができる。シェルタ１１０は、周知のようにフレーム１１４で支持されるが、その具体的詳細については本発明の記述を明確にするため、ここでは省略する。周知のように、シェルタ１１０は、さらに、ペグ、ガイロープなどの補助的支持手段で支えることもできる。テント１０について前述したように、ベントポール３０は、シェルタ１１０の１つのサイドにある第１のベント２２ａの外縁２８から、シェルタ１１０の対向するサイドにある第２のベント２２ｂの外縁２８’へと、中心線Ｃ沿いにシェルタ１１０頭頂部の中心点Ｐを横切って伸長する。シェルタ１１０が備えるベントの数は、いくつであってもよく、たとえば、シェルタ全体で１つのベントの場合から、各サイドに１つの場合、各サイドに２つ以上の場合まで、すべて本発明の範囲に入る。ベント２２、ベントポール３０、ポケット３２およびその他の要素の構成は、テント１０について説明したのと同様である。
【００３２】
本明細書において引用されている事項は、その参照により、全体的として本明細書に組み込まれる。本発明の範囲が、ここに具体的に示した例により限定されることはない。さらに、特に言及がない限りは、添付図面は、実物を正確に縮尺するものではない。前述した主旨に従い、本発明の範囲および思想を逸脱することなく、様々な変更、改良が可能であり、本発明の範囲は、特許請求の範囲によってのみ制限される。
【００３３】
その他の変形例も、本発明の思想の範囲内にある。このように、本発明は、さまざまな改良の態様や代替の態様を許容するものであるが、特定の実施態様について図示し、それについて詳細に説明した。しかしながら、ここに示した特定の形態や開示された形態にのみ限定することを意図するものではなく、添付の特許請求の範囲に定める本発明の思想および範囲内にある、すべての改良の態様、代替の態様、均等物を包含することを意図するものである。
【図１】
2013501170.tif 000003
【図２】
2013501170.tif 000004
【図３】
2013501170.tif 000005
【図４】
2013501170.tif 000006
【図５】
2013501170.tif 000007
【図６】
2013501170.tif 000008
【図７】
2013501170.tif 000009
【図８】
2013501170.tif 000010
【図９】
2013501170.tif 000011
【図１０】
2013501170.tif 000012
【国際調査報告】
2013501170.tif 000013
2013501170.tif 000014